(57)【要約】【課題】遮光レンズ(偏光レンズも含む)と老眼鏡用レンズとの段差部をなくして塵埃の付着を防止し、しかも外観上も見苦しくない等の老眼用レンズつきサングラスを提供すること。【解決手段】テンプル２０，２１と、レンズ１１，１２を嵌装したレンズフレーム１０と、鼻パットと５０を備えた老眼用レンズつきサングラスであって、前記レンズ１１，１２は、ポリカーボネートでミラーコート加工した遮光レンズ（偏光レンズも含む）３０と、該遮光レンズ３０の裏面の下部の一部分に形成した老眼用レンズ４０とからなり、前記遮光レンズ３０と老眼用レンズ４０とは一体成形してなることを特徴とする【選択図】図１
0003189038.tif 000002
【実用新案登録請求の範囲】
【請求項１】
テンプルと、レンズを嵌装したレンズフレームと、鼻パットとを備えた老眼用レンズつきサングラスであって、
前記レンズは、ポリカーボネートでミラーコート加工した遮光レンズ（偏光レンズも含む）と、該遮光レンズの裏面の下部の一部分に形成した老眼用レンズとからなり、前記遮光レンズと老眼用レンズとは一体成形してなることを特徴とする老眼用レンズつきサングラス。
【請求項２】
前記レンズを嵌装したレンズフレームとしては、正面から見て略Ｔ字形状であって、該Ｔ字形状部の裏面には双股状の内向き突部を延設すると共に、前記内向き突部同士間に形成された空間部には板バネを設け、前記双股状の内向き突部の後端部が、前記テンプルとヒンジを介して連結した前部フレームの中央部の凹部に弧回動自在に枢着してあり、前記レンズは跳ね上げできるように構成してあることを特徴とする請求項１に記載の老眼用レンズつきサングラス。
【考案の詳細な説明】
【技術分野】
【０００１】
本考案は、遮光レンズ(偏光レンズを含む)の一部分に老眼用レンズを設けた老眼用レンズつきサングラスに関する。
【背景技術】
【０００２】
従来、この種の老眼用レンズつきサングラスとしては、実用新案登録第３０４４５３４号公報(特許文献１)に記載された眼鏡用複合レンズを備えた眼鏡(同公報の図３参照)が知られている。
【０００３】
この特許文献１の図３に示された眼鏡は、テンプルと、レンズを嵌装したレンズフレームとを備え、前記レンズは、サングラスレンズ又は偏光レンズとしてのレンズ本体に開口部を設け、この開口部に度付レンズを嵌着した構成である。そして、嵌着状態は、同公報の図２に示されているように、レンズ本体の下側部分に開口部を形成し、この開口部に度付レンズを嵌合してなるものである。この場合、度付レンズの外周面に沿って嵌合溝を周設し、前記開口部の内周面が嵌合溝の溝底に密接する状態で、開口部に嵌着される。そのため、度付レンズは、レンズ本体の表面より外方へ突出している。
【０００４】
この特許文献１の眼鏡によれば、１個の眼鏡で、レンズ本体による偏光レンズやサングラスとしての機能と、度付レンズによる近眼鏡や老眼鏡や遠視用眼鏡としての機能とが、自由に選択して使用できる利点がある。
【先行技術文献】
【特許文献】
【０００５】
【特許文献１】実用新案登録第３０４４５３４号公報
【考案の概要】
【考案が解決しようとする課題】
【０００６】
しかしながら、前記特許文献１の眼鏡は、度付レンズがレンズ本体の表面より外方へ突出しているため、度付レンズの外周面とレンズ本体の内周面との間に段差が生じる。この段差部に塵埃が付着して汚れ易くなると共に、外観上も見苦しいなどの欠点があった。
【０００７】
本考案は、上記従来の問題を解消するために案出したものであって、遮光レンズ(偏光レンズも含む)と老眼鏡用レンズとの段差部をなくして塵埃の付着を防止し、しかも外観上も見苦しくない等の老眼用レンズつきサングラスを提供することを目的とする。
【課題を解決するための手段】
【０００８】
上記目的を達成するため、本考案の請求項１の老眼用のレンズつきサングラスは、テンプルと、レンズを嵌装したレンズフレームと、鼻パットとを備えた老眼用レンズつきサングラスであって、前記レンズは、ポリカーボネートでミラーコート加工した遮光レンズ（偏光レンズも含む）と、該遮光レンズの裏面の下部の一部分に形成した老眼用レンズとからなり、前記遮光レンズと老眼用レンズとは一体成形してなることを特徴とする。
【０００９】
請求項２の老眼用レンズつきサングラスは、請求項１において、前記レンズを嵌装したレンズフレームとしては、正面から見て略Ｔ字形状であって、該Ｔ字形状部の裏面には双股状の内向き突部を延設すると共に、前記内向き突部同士間に形成された空間部には板バネを設け、前記双股状の内向き突部の後端部が、前記テンプルとヒンジを介して連結した前部フレームの中央部の凹部に弧回動自在に枢着してあり、前記レンズは跳ね上げできるように構成してあることを特徴とする。
【考案の効果】
【００１０】
本考案の請求項１の老眼用レンズつきサングラスによれば、遮光レンズ（偏光レンズ）は、ポリカーボネートで製造しているので、透明性や耐衝撃性に優れていると共に、ミラーコート加工しているので、反射するカラーを適宜に使用することで、日よけのサングラスとして機能できるばかりか、ファッション性が向上され、他人から見られない利点がある。また、戸外でのスポーツ、魚釣り、園芸作業等においても、日よけサングラスとして機能するばかりか、ファッション性に優れ、防護眼鏡としても機能する。
【００１１】
さらに、前記遮光レンズの裏面の下部の一部分には老眼用レンズである度付レンズが形成してあるので、例えば、遮光レンズを使用しているサングラス機能状態の際に、必要に応じて、老眼用レンズを使用して老眼鏡としての機能を用いることとができる。逆の使用方法もできる。
【００１２】
さらにまた、老眼用レンズは遮光レンズの裏面に形成してあると共に、前記遮光レンズと老眼用レンズとは一体成形して、両レンズ間の段差部をなくしているので、その接合部に塵埃の付着を防止でき、外観上も見苦しくないなどの利点がある。
【００１３】
請求項２の老眼用レンズつきサングラスによれば、前記請求項１の効果のほかに、以下のような効果がある。すなわち、レンズを嵌装した略Ｔ字形状のレンズフレームを前部フレームに回動（起伏）自在にした構成であるから、前記レンズフレーム（つまりレンズ）を前部フレームに付して垂下することにより、サングラスとして、又は必要に応じて老眼鏡としても使用できるなど、前記請求項１で記載した効果を有する。
【００１４】
そればかりか、この請求項２の場合には、前記レンズフレーム（つまりレンズ）を、前部フレームを回動支点にして起こし跳ね上げることにより、前記レンズを使用することなく、裸眼で対象物を見ることが出来る。これにより、特に園芸や日曜大工などの作業に適した眼鏡となる。
【００１５】
さらに、請求項２のレンズはレンズフレームに嵌装すると共に、、前記略Ｔ字形状のレンズフレームの裏面に形成した双股状の内向き突部の後端部が、前部フレームの中央部の凹部に弧回動自在に枢着してあり、前記レンズ（レンズフレーム）が起伏自在には跳ね上げできるように構成してあるから、構造が簡単で組付けも簡易にできる利点がある。。
【図面の簡単な説明】
【００１６】
【図１】本考案に係る老眼用レンズつきサングラスの実施形態１の全体斜視図である。
【図２】図１の正面図である。
【図３】図１の平面図である。
【図４】図１の背面図である。
【図５】図１の底面図である。
【図６】テンプルを折り畳んだ状態の正面図である。
【図７】本考案に係る老眼用レンズつきサングラスの実施形態２の全体斜視図である。
【図８】図７の正面図である。
【図９】図７の背面図である。
【図１０】図７の要部の平面図である。
【図１１】図７の要部の底面図である。
【図１２】レンズを跳ね上げた状態の正面図である。
【図１３】レンズを跳ね上げた状態の平面図である。
【図１４】レンズを跳ね上げた状態の底面図である。
【考案を実施するための形態】
【００１７】
(実施の形態１)                                                     
本考案の実施の形態１を図１〜図６に基づいて以下に説明する。  
この老眼用レンズつきサングラス１は、左右にレンズ１１、１２を嵌装した前部フレーム兼用のレンズフレーム１０と、前部フレーム兼用のレンズフレーム１０に回動かつ折り畳み自在に設けた左右一対のテンプル２０、２１と、前記前部フレーム兼用のレンズフレーム１０の中央後部に設けた鼻パット５０とを主要な構成要素としている。
【００１８】
前記前部フレーム兼用のレンズフレーム１０には、中央部の後部（裏面）に略鳥居（ただし左右支柱同士間に横架した横桟はない。）形状の鼻パット保持部材５１を一体に設け、この鼻パット保持部材５１の下方から前記鼻パット５０を嵌装している。
【００１９】
そして、図３に示すように、前記鼻パット保持部材５１の最上部に形成した横向き突部５１ａには、前記レンズ１１、１２の内周上端部１１ａ、１２ａを嵌入する嵌合凹部５１ｂが形成されている。
【００２０】
また、前記前部フレーム兼用のレンズフレーム１０の裏面側は、左端部１０ａと右端部１０ｂを残して、該左端部１０ａの一部から前記横向き突部５１ａまでと、同様に、右端部１０ｂの一部から横向き突部５１ａまでに、切欠き凹部１０ｃ、１０ｄを形成している。前記左端部１０ａと右端部１０ｂとには、レンズ１１、１２の外周上端部１１ｂ、１２ｂを嵌入する嵌合凹部５１ｃが、前記切欠き凹部１０ｃ、１０ｄと連続して形成してある。
【００２１】
そこで、前記嵌合凹部５１ｂ、５１ｃと切欠き凹部１０ｃとにレンズ１１を嵌入して、ネジ１３、１３で止着する。同様にして、前記嵌合凹部５１ｂ、５１ｃと切欠き凹部１０ｄとにレンズ１２を嵌入して、ネジ１４、１４で止着する。
【００２２】
前記レンズ１１、１２は、左右一対で対称に製造されており、ポリカーボネートでミラーコート加工した遮光レンズ（偏光レンズ）３０と、該遮光レンズ３０の裏面の下部の一部分に形成した老眼用レンズ４０とからなっており、この遮光レンズ３０と老眼用レンズ４０とは一体成形してなることを特徴としている。
【００２３】
遮光レンズ（偏光レンズも含む）３０は、透明性と耐衝撃性に優れているポリカーボネートの素材（この実施形態では紫外線カット率が９９％以上あると言われているＵＶ４００を使用。）を使用している。しかも、この遮光レンズ３０は、ミラーコート加工を施しているので、前述したように、まぶしさを更に軽減し、ファッション性を向上して、他人から見られない等の利点を有している。
【００２４】
老眼用レンズ４０は。前記ポリカーボネートの素材の凸レンズとしている。この老眼用レンズ４０は、遮光レンズ３０の裏面（内側）に、両レンズ３０、４０をインジェクションの射出成形により一体に成形している。そのため、両レンズ３０、４０との間の裏面側には殆んど段差部がない。それゆえ、前述したように、両レンズ３０、４０の接合部に塵埃の付着もなく、外観上も見苦しくない等の利点を有する。
【００２５】
なお、上記インジェクションの射出成形とは、例えば、ポリカーボネートからなる固形の粒体を溶融して液体状にして、遮光レンズ３０用の金型と老眼用レンズ４０の金型に、射出成形機より射出してから固化して一体成形するものである。
【００２６】
前記実施の形態１の老眼用レンズつきサングラスは、遮光レンズ３０を通して見ることにより、老眼者に限らず、何人でも、まぶしさを防ぐ日よけ機能やファッション性や眼の保護等を達成するサングラスとして利用できる。また、特に、老眼者が着用した場合には、遮光レンズ３０を通して見ることで上記効果があることは勿論であると共に，老眼用レンズ４０を通して見ることにより、魚釣り時における釣り針の取り外し等の老眼鏡を着用しているのと同様の効果がある。  
なお、図１、図３〜図５で２２，２３はヒンジである。
【００２７】
（実施の形態２）
本考案の実施の形態２を図７〜図１４に基づいて以下に説明する。
これは、請求項２の構成を採用したものであり、実施の形態１と比べて、レンズを嵌装したレンズフレームと、レンズを跳ね上げできるように構成した点で顕著に異なる。詳細を以下に説明する。
なお、図７〜図１４において、実施の形態１を示した図１〜図６の符合と同一のものは、略同様な構成であるので、説明を省略している。
【００２８】
この実施の形態２のレンズフレーム６０は、テンプル２０、２１の前方にヒンジ２２、２３を介して連結した前部フレーム７０とは、別体の独立した構成としている。すなわち、前記レンズフレーム６０は、正面から見て略Ｔ字形状であって、該Ｔ字形状部６１の裏面には双股状の内向き突部６２、６２を延設すると共に、前記内向き突部６２，６２同士間に形成された空間部６３には板バネ６４を設けている。そして、前記双股状の内向き突部６２、６２の後端部が、前記前部フレーム７０の中央部に形成した凹部７１に弧回動自在に枢着してある。
【００２９】
上記内向き突部６２、６２の枢着構造を具体的に説明すると、図９に示すように、前部フレーム７０の凹部７１の中央には仕切壁７２を立設し、この仕切壁７２の左右に横軸７３が設けられている。
一方、前記レンズフレーム６０の内向き突部６２、６２の後部には、前記仕切壁７２の左右に設けた横軸７３を嵌合する嵌合穴６２ａ、６２ａが形成されている（図９参照）。
【００３０】
前記内向き突部６２、６２の嵌合穴６２ａ、６２ａに、前部フレーム７０の横軸７３、７３を嵌合することにより、レンズフレーム６０（レンズ１１、１２つきの）が組み付けられる。前記嵌合穴６２ａ、６２ａを横軸７３、７３から取り外すことにより、レンズ１１、１２つきレンズフレーム６０を取り外すことができる。
【００３１】
以上のように構成しているので、［００１３］で説明したように、レンズフレーム６０(つまりレンズ１１、１２)を前部フレーム７０に垂下することにより、サングラスとして、又は老眼鏡として選択して使用できる(図７〜図１１参照)。
また、図１２〜図１４に示すように、レンズフレーム６０(つまりレンズ１１、１２)を、前部フレーム７０の横軸７３を回動支点にして上方へ起し跳ね上げることにより、前記レンズ１１、１２を使用することなく、裸眼で対象物を見ることができる(［００１４］、［００１５］参照)。この跳ね上げ状態は前記板バネ６４が保持している。前記跳ね上げ状態において、レンズフレーム６０を板バネ６４の弾発力に抗して押し下げると、レンズフレーム６０(つまりレンズ１１，１２)は、図７〜図１１に示すように、前部フレーム７０の前方へ垂下する。このように、板バネ６４のクリックモーション作用によって、レンズフレーム６０(レンズ１１、１２)の起伏状態が確実に保持されている。
【符号の説明】
【００３２】
１    老眼用レンズつきサングラス
１０  前部フレーム兼用のレンズフレーム
１１  レンズ
１２  レンズ
２０  テンプル
２１  テンプル
３０  遮光レンズ(偏光レンズ)
４０  老眼用レンズ
５０  鼻パット
５１  鼻パット保持部材
６０  レンズフレーム
６１  Ｔ字形状部
６２  内向き突部
６４  板バネ
７０  前部フレーム
７１  凹部
７３  横軸
【図１】
0003189038.tif 000003
【図２】
0003189038.tif 000004
【図３】
0003189038.tif 000005
【図４】
0003189038.tif 000006
【図５】
0003189038.tif 000007
【図６】
0003189038.tif 000008
【図７】
0003189038.tif 000009
【図８】
0003189038.tif 000010
【図９】
0003189038.tif 000011
【図１０】
0003189038.tif 000012
【図１１】
0003189038.tif 000013
【図１２】
0003189038.tif 000014
【図１３】
0003189038.tif 000015
【図１４】
0003189038.tif 000016